(57)【要約】【課題】壁の表面部よりも表側に表側配線部材の接続部が突出することを抑制した壁取付配線装置を提供する。【解決手段】配線装置１は、造営物を構成する壁に埋め込まれるとともに、この壁の裏側に配線された強電用配線部材及び弱電用配線部材と接続している。この配線装置１は、壁の表側に向かい開口する装置本体２０と、この装置本体２０を壁の表側より覆うカバー体３０とを備え、装置本体２０は、壁の裏側に配置される底部２３と、この底部２３の外周縁から壁の表側に向かい延設される側周部２４とを備え、側周部２４及び底部２３の少なくとも一方には、第１配線部材の接続部が接続されるコンセントモジュール及び電源用コンセント４３が設けられる。【選択図】図１０
2011008996.tif 000002
【特許請求の範囲】
【請求項１】
造営物を構成する壁に埋め込まれるとともに、この壁の裏側に配線された裏側配線部材と接続する壁取付配線装置において、
当該壁取付配線装置は、前記壁の表面部に向かい開口する開口部が設けられた装置本体と、この装置本体の開口部を表側より覆うカバー体とを備え、
前記装置本体は、少なくとも前記表面部の裏側に配置される底部と、この底部の外周縁から前記表面部に向かい延設される側周部とを備え、
前記側周部及び前記底部の少なくとも一方には、表側配線部材の接続部が接続される接続口が形成されたコンセントが設けられる
ことを特徴とする壁取付配線装置。
【請求項２】
請求項１に記載の壁取付配線装置において、
前記コンセントは、前記側周部のうちの鉛直方向の下方を構成する下面部に設けられる
ことを特徴とする壁取付配線装置。
【請求項３】
請求項２に記載の壁取付配線装置において、
前記コンセントは、前記側周部のうちの鉛直方向の上方を構成する上面部にさらに設けられる
ことを特徴とする壁取付配線装置。
【請求項４】
請求項１〜請求項３のいずれか一項に記載の壁取付配線装置において、
前記表側配線部材は、前記接続部に接続されるケーブル部を有し、
前記装置本体には、前記ケーブル部の一部を収納する収納部が設けられる
ことを特徴とする壁取付配線装置。
【請求項５】
請求項４に記載の壁取付配線装置において、
前記収納部には、前記ケーブル部を係止する係止部が設けられる
ことを特徴とする壁取付配線装置。
【請求項６】
請求項４または請求項５に記載の壁取付配線装置において、
前記カバー体には、前記表側配線部材を挿通するとともにこの表側配線部材を前記壁の表面部の表側に引き出す挿通部が設けられる
ことを特徴とする壁取付配線装置。
【請求項７】
請求項６に記載の壁取付配線装置において、
前記カバー体の外周縁には、前記壁の表側に向かい凹む凹部が設けられ、
前記挿通部を構成する挿通空間は、前記凹部と前記装置本体との間において形成された開口部によって形成される
ことを特徴とする壁取付配線装置。
【請求項８】
請求項６または請求項７に記載の壁取付配線装置において、
前記コンセントは、前記側周部に設けられ、
前記挿通部は、前記カバー体における前記コンセントが設けられた側周部とは反対側の外周縁に設けられる
ことを特徴とする壁取付配線装置。
【請求項９】
請求項６〜請求項８のいずれか一項に記載の壁取付配線装置において、
前記挿通部は、前記ケーブル部が複数本に亘り挿通可能となるように形成される
ことを特徴とする壁取付配線装置。
【請求項１０】
請求項１〜請求項９のいずれか一項に記載の壁取付配線装置において、
前記コンセントには、情報用コンセントと電力供給用コンセントとが設けられる
ことを特徴とする壁取付配線装置。
【発明の詳細な説明】
【技術分野】
【０００１】
本発明は、造営物を構成する壁に埋め込まれるとともに、この壁の裏側に配線された裏側配線部材と接続する壁取付配線装置に関する。
【背景技術】
【０００２】
一般に、壁に設けられるとともに、この壁の裏側に配線された配線部材と接続する配線装置は、壁の表面部よりも表側に栓刃挿入口等の接続口が配置されているものが知られている（例えば、特許文献１参照）。
【０００３】
図２６を参照して、上述のような従来の配線装置の構造について説明する。
図２６に示すように、配線装置１００には、壁の表面部である壁面ＷＬ（図２６（ｂ）参照）の裏側に配線された裏側配線部材と接続するとともに、壁面ＷＬの表面から配線する表側配線部材１３０（図２６（ｃ）参照）を接続する複数の接続口１１１（図２６（ａ）参照）が形成された器体１１０が設けられている。この器体１１０は、壁面ＷＬの表側から壁面ＷＬに取り付けられる取付枠１２０によって保持されている。ここで、図２６（ｂ）に示すように、接続口１１１が取付枠１２０よりも表側に配置されるため、接続口１１１は壁面ＷＬよりも表側に配置されるようになる。また、この接続口１１１は、壁面ＷＬに対して垂直な方向にそれぞれ開口している。
【先行技術文献】
【特許文献】
【０００４】
【特許文献１】特開２００９−２６５０２号公報
【発明の概要】
【発明が解決しようとする課題】
【０００５】
ところで、このような配線装置１００の接続口１１１に、例えば栓刃及びこの栓刃を保持するプラグ１３１を有する表側配線部材１３０を接続した場合（図２６（ｃ）参照）、接続口１１１が壁面ＷＬに対して垂直な方向に開口するため、プラグ１３１は、壁面ＷＬに対して表側且つ垂直な方向に延びるようになる。これにより、プラグ１３１または表側配線部材１３０のケーブル線１３２が人の歩行の邪魔となっていた。
【０００６】
本発明は、上記実情に鑑みてなされたものであり、その目的とするところは、壁の表面部よりも表側に表側配線部材の接続部が突出することを抑制した壁取付配線装置を提供することにある。
【課題を解決するための手段】
【０００７】
以下、上記目的を達成するための手段及びその作用効果について記載する。
（１）請求項１に記載の発明は、造営物を構成する壁に埋め込まれるとともに、この壁の裏側に配線された裏側配線部材と接続する壁取付配線装置において、当該壁取付配線装置は、前記壁の表面部に向かい開口する開口部が設けられた装置本体と、この装置本体の開口部を表側より覆うカバー体とを備え、前記装置本体は、少なくとも前記表面部の裏側に配置される底部と、この底部の外周縁から前記表面部に向かい延設される側周部とを備え、前記側周部及び前記底部の少なくとも一方には、表側配線部材の接続部が接続される接続口が形成されたコンセントが設けられることを要旨とする。
【０００８】
この発明によれば、壁の裏側に配置される側周部にコンセントが設けられることにより、接続口に接続された表側配線部材の接続部が壁の裏側に配置されるようになる。したがって、接続部が壁の表面部の表側に突出することを抑制することができるようになる。
【０００９】
また、カバー体が装置本体の開口部を表側より覆うことにより、接続部が壁取付配線装置の外部から露出することが回避されるため、この壁取付配線装置の全体としての美観性が向上するようになる。
【００１０】
（２）請求項２に記載の発明は、請求項１に記載の壁取付配線装置において、前記コンセントは、前記側周部のうちの鉛直方向の下方を構成する下面部に設けられることを要旨とする。
【００１１】
この発明によれば、コンセントが側周部のうちの鉛直方向の下方の下面部に設けられるため、作業者が表側配線部材をコンセントの接続口に接続する作業を容易に行うことができるようになる。
【００１２】
（３）請求項３に記載の発明は、請求項２に記載の壁取付配線装置において、前記コンセントは、前記側周部のうちの鉛直方向の上方を構成する上面部にさらに設けられることを要旨とする。
【００１３】
この発明によれば、コンセントが側周部のうちの鉛直方向の上方の上面部にさらに設けられることにより、この壁取付配線装置に対して鉛直方向の上方及び下方の両方に電機機器が配置されたときには、これら電気機器への表側配線部材の接続が容易となる。
【００１４】
（４）請求項４に記載の発明は請求項１〜請求項３のいずれか一項に記載の壁取付配線装置において、前記表側配線部材は、前記接続部に接続されるケーブル部を有し、前記装置本体には、前記ケーブル部の一部を収納する収納部が設けられることを要旨とする。
【００１５】
この発明によれば、収納部により表側配線部材のケーブル部の一部が収納されることにより、ケーブル部が壁取付配線装置の外部から見えにくくなるため、表側配線部材を接続口に接続した状態において、壁取付配線装置の装置全体としての美観性が向上するようになる。
【００１６】
（５）請求項５に記載の発明は、請求項４に記載の壁取付配線装置において、前記収納部には、前記ケーブル部を係止する係止部が設けられることを要旨とする。
この発明によれば、収納部に係止部が設けられることにより、係止部にケーブル部を係止することが可能となるため、収納部内にケーブル部を容易に収納することができるようになる。したがって、作業者がケーブル部を収納部に収納する作業を容易に行うことができるようになる。
【００１７】
（６）請求項６に記載の発明は、請求項４または請求項５に記載の壁取付配線装置において、前記カバー体には、前記表側配線部材を挿通するとともにこの表側配線部材を前記壁の表面部の表側に引き出す挿通部が設けられることを要旨とする。
【００１８】
この発明によれば、カバー体に挿通部が設けられることにより、表側配線部材を容易に壁の表面部の表側に引き出すことができるようになる。また、装置本体側に挿通部を省略することができ、装置本体の構造を簡単化することができるようになる。
【００１９】
（７）請求項７に記載の発明は、請求項６に記載の壁取付配線装置において、前記カバー体の外周縁には、前記壁の表側に向かい凹む凹部が設けられ、前記挿通部を構成する挿通空間は、前記凹部と前記装置本体との間において形成された開口部によって形成されることを要旨とする。
【００２０】
この発明によれば、カバー体の外周縁に凹部が設けられるため、表側配線部材はカバー体の外周縁に亘り覆われるため、表側配線部材を接続口に接続した状態において、壁取付配線装置の美観性を向上することができる。
【００２１】
（８）請求項８に記載の発明は、請求項６または請求項７に記載の壁取付配線装置において、前記コンセントは、前記側周部に設けられ、前記挿通部は、前記カバー体における前記コンセントが設けられた側周部とは反対側の外周縁に設けられることを要旨とする。
【００２２】
この発明によれば、挿通部がカバー体におけるコンセントが設けられた側周部とは反対側の外周縁に設けられることにより、接続口に接続された表側配線部材を挿通部に配線するためにケーブル部を大きく屈曲させることを抑制することができる。したがって、表側配線部材の配線作業を容易に行うことができるようになる。
【００２３】
（９）請求項９に記載の発明は、請求項６〜請求項８のいずれか一項に記載の壁取付配線装置において、前記挿通部は、前記ケーブル部が複数本に亘り挿通可能となるように形成されることを要旨とする。
【００２４】
この発明によれば、挿通部が複数のケーブル部を同時に挿通可能とすることにより、コンセントに接続された複数の表側配線部材を同時に電気機器に接続することができるようになる。したがって、１つの壁取付配線装置によって電気機器に必要な配線部材を接続することができるようになる。
【００２５】
（１０）請求項１０に記載の発明は、請求項１〜請求項９のいずれか一項に記載の壁取付配線装置において、前記コンセントには、情報用コンセントと電力供給用コンセントとが設けられることを要旨とする。
【００２６】
この発明によれば、この壁取付配線装置に情報用コンセントと電力供給用コンセントとが設けられることにより、壁取付配線装置は、商用電源から電気機器への電力供給と、インターネット接続等の情報通信との両立を図ることができるようになる。
【発明の効果】
【００２７】
本発明によれば、壁面から表側に配線部材の接続部が突出することを抑制した壁取付配線装置を提供することができる。
【図面の簡単な説明】
【００２８】
【図１】本発明の壁取付配線装置を具体化した第１の実施形態について、この壁取付配線装置が用いられた配線構造を示す概略図。
【図２】同実施形態の壁取付配線装置について、この壁取付配線装置とテレビと録画機との配線態様及び構造を示す斜視図。
【図３】同実施形態の壁取付配線装置について、（ａ）装置本体の斜視構造を示す斜視図、（ｂ）装置本体の斜視構造を示す斜視図。
【図４】同実施形態の壁取付配線装置について、装置本体のコンセントモジュールの正面構造を示す正面図。
【図５】同実施形態の壁取付配線装置について、（ａ）カバー体の斜視構造を示す斜視図、（ｂ）カバー体の側面構造を示す斜視図。
【図６】同実施形態の壁取付配線装置について、（ａ）装置本体にカバー体が取り付けられる前の状態の斜視構造を示す斜視図、（ｂ）装置本体にカバー体が取り付けられた後の状態の斜視構造を示す斜視図、（ｃ）装置本体にカバー体が取り付けられた後の状態の平面構造を示す平面図。
【図７】同実施形態の壁取付配線装置について、ＣＤ管取付台の斜視構図を示す斜視図。
【図８】同実施形態の壁取付配線装置について、図２の電気機器の配線態様の断面構造を示す断面図。
【図９】同実施形態の壁取付配線装置について、同壁取付配線装置とテレビとの配線態様の断面構造を示す断面図。
【図１０】同実施形態の壁取付配線装置について、同壁取付配線装置とテレビとの配線態様の断面構造を示す断面図。
【図１１】同実施形態の壁取付配線装置について、挿通部の平面構造を示す平面図。
【図１２】同実施形態の壁取付配線装置について、（ａ）同壁取付配線装置の外観を示す外観図、（ｂ）同壁取付配線装置とテレビとの外観を示す外観図。
【図１３】本発明の壁取付配線装置を具体化した第２の実施形態について、この壁取付配線装置とテレビと録画機との配線態様及び構造を示す斜視図。
【図１４】同実施形態の壁取付配線装置について、同壁取付配線装置の配線態様を示す断面図。
【図１５】同実施形態の壁取付配線装置について、同壁取付配線装置の配線態様を示す断面図。
【図１６】同実施形態の壁取付配線装置について、（ａ）装置本体とテレビとの配置態様を示す斜視図、（ｂ）（ａ）の装置本体付近の拡大図。
【図１７】本発明の壁取付配線装置を具体化した第３の実施形態について、この壁取付配線装置とテレビと録画機との配線態様及び構造を示す斜視図。
【図１８】同実施形態の壁取付配線装置について、同壁取付配線装置の配線態様を示す断面図。
【図１９】同実施形態の壁取付配線装置について、同壁取付配線装置の配線態様を示す断面図。
【図２０】同実施形態の壁取付配線装置について、同壁取付配線装置とテレビとの外観を示す外観図。
【図２１】本発明の壁取付配線装置を具体化した第４の実施形態について、装置本体の斜視構造を示す斜視図。
【図２２】同実施形態の壁取付配線装置について、同壁取付配線装置の配線態様を示す断面図。
【図２３】同実施形態の壁取付配線装置について、同壁取付配線装置の配線態様を示す断面図。
【図２４】本発明の壁取付配線装置を具体化した第５の実施形態について、装置本体の斜視構造を示す斜視図。
【図２５】同実施形態の壁取付配線装置について、同壁取付配線装置の配線態様を示す平面図。
【図２６】従来の配線装置について、（ａ）同配線装置の斜視構造を示す斜視図、（ｂ）同配線装置が壁面に固定された状態における側面構造を示す側面図、（ｃ）（ｂ）にプラグを有する配線部材が接続された状態を示す側面図。
【発明を実施するための形態】
【００２９】
（第１の実施形態）
図１〜図１２を参照して、本発明の壁取付配線装置を壁掛けテレビに接続する表側配線部材を配線するための配線装置として具体化した第１の実施形態について説明する。
【００３０】
図１に示すように、壁取付配線装置（以下、「配線装置１」）は、地上波用アンテナ２及びＢＳ／ＣＳ用アンテナ３から受信した電波を電気信号としてテレビ４及び録画機５に伝達している。
【００３１】
具体的には、地上波用アンテナ２及びＢＳ／ＣＳ用アンテナ３が受信した電波の電気信号は、分配機能付ブースタ６によって増幅される。そして電気信号は、同軸ケーブルＣ１を介して配線装置１に伝達され、同軸ケーブルＣ２を介して別の配線装置である情報コンセント７に伝達される。配線装置１は、第１配線部材８を介してテレビ４と接続され、情報コンセント７は、第２配線部材９を介して録画機５に接続される。また、テレビ４と録画機５とは、ＨＤＭＩである接続用配線部材１０によって配線装置１及び情報コンセント７を介して互いに接続される。
【００３２】
また、配線装置１及び情報コンセント７のそれぞれには、それぞれ電源用コネクタ、テレビ用コネクタ、ＢＳ／ＣＳ用コネクタ、ＬＡＮ用コネクタ及び電話用コネクタが設けられている。第１配線部材８及び第２配線部材９は、上記各コネクタに接続する配線として構成されている。なお、第１配線部材８は、テレビ用端子、ＬＡＮ用コネクタ及び電話用コネクタにそれぞれ接続された４本の配線部材である情報用配線部材８Ａと、電源用コンセント４３に接続された電源用配線部材８Ｂとから構成されている。
【００３３】
また、情報コンセント７には、接続用配線部材１０を通線するための通線口が設けられている。以上の配線により、デジタル放送及びＢＳ／ＣＳ放送の視聴やテレビ４を用いてインターネット接続を行うことができるようになる。
【００３４】
図２に示すように、配線装置１は、家屋等の造営物を構成する造営材ＢＭに取り付けられた壁の表面部である壁面ＷＬに配置されている。具体的には、隣り合う造営材ＢＭには、コンクリートの型枠として作られた合板であるコンクリートパネル（以下、「コンパネ材ＣＰ」）を固定する。これにより、コンパネ材ＣＰは、壁の一部を構成している。このコンパネ材ＣＰは、壁の壁面ＷＬに設けられた貫通孔（不図示）に収納されている。また、コンパネ材ＣＰの奥行き方向の表側の面（表面）は、壁の壁面ＷＬの奥行き方向の表側の面と略面一となる。即ちコンパネ材ＣＰの表面は、壁面ＷＬの一部を構成している。そして配線装置１の一部は、コンパネ材ＣＰに設けられた貫通孔である収納部ＣＰ１内に収納されている。以降では、壁をコンパネ材ＣＰとして使用し、コンパネ材ＣＰの表面を壁面ＷＬとして使用する。
【００３５】
配線装置１より鉛直方向の上方には、テレビ４が配置されている。具体的には、コンパネ材ＣＰに固定された取付枠１１にテレビ４が取り付けられることにより、壁面ＷＬにテレビ４が取り付けられている（即ち、壁面ＷＬにテレビ４が壁掛けされた態様となる）。
【００３６】
配線装置１より鉛直方向の下方には、録画機５が配置されている。具体的には、壁面ＷＬにおける配線装置１より鉛直方向の下方には、情報コンセント７が設けられている。そしてこの情報コンセント７付近に録画機５が配置されている。
【００３７】
コンパネ材ＣＰの奥行き方向の裏側には、電力供給を行うための強電用配線部材１２と、信号伝達を行うための弱電用配線部材１３と、接続用配線部材１０の一部（即ち配線装置１と情報コンセント７との間の配線部分）が配線されている。これら強電用配線部材１２、弱電用配線部材１３及び接続用配線部材１０のそれぞれは、樹脂材料を用いてパイプ状に成形されたＣＤ管１４〜１６に収納されている。なお弱電用配線部材１３は、同軸ケーブルＣ１，Ｃ２を含んでいる。
【００３８】
コンパネ材ＣＰの奥行き方向の裏側には、ＣＤ管１４〜１６を固定するためのＣＤ管取付台１７が配置されている。具体的には、ＣＤ管１４，１５がＣＤ管取付台１７の鉛直方向の上方において固定され、ＣＤ管１６がＣＤ管取付台１７の鉛直方向の下方において固定されている。
【００３９】
ＣＤ管取付台１７は、配線装置１と対応した位置に配置されている。配線装置１は、ＣＤ管取付台１７に設けられた装置収納部５３に収納されている。
強電用配線部材１２及び弱電用配線部材１３は、ＣＤ管取付台１７を介して配線装置１の鉛直方向の上方に接続されている。具体的には、強電用配線部材１２は、配線装置１の電源用コンセント４３（図３（ｂ）参照）に接続されている。弱電用配線部材１３は、配線装置１のコンセントモジュール４１（図４参照）に接続されている。
【００４０】
配線装置１は、装置本体２０と、この装置本体２０を奥行き方向の表側から覆うカバー体３０とから構成されている。以下、図３〜図６を参照して、装置本体２０及びカバー体３０の詳細な構成について説明する。
【００４１】
図３に示すように、装置本体２０には、コンパネ材ＣＰ（図２参照）より奥行き方向の表側に配置される枠状の取付部２１が設けられている。この取付部２１の鉛直方向の中央には、取付部２１より奥行き方向の裏側に向かい凹む凹形状であるとともに奥行き方向の表側に向かい開口する開口部２２ａが形成される配線収納部２２が設けられている。この配線収納部２２は、奥行き方向の裏側に配置されるとともに壁面ＷＬ（図２参照）に沿った平面視において略長方形状の壁部である底部２３と、この底部２３の外周縁の全周に亘り設けられる側周部２４とから構成されている。この側周部２４は、底部２３から奥行き方向の表側に向かい延びるとともに取付部２１に連結されるように設けられている。
【００４２】
取付部２１の外周縁には、カバー体３０（図２参照）と嵌合する本体側嵌合部２５が設けられている。この本体側嵌合部２５は、取付部２１の外周縁から奥行き方向の表側に向かい突出するように設けられている。
【００４３】
装置本体２０の鉛直方向及び奥行き方向の両方に直交する方向（以下、「幅方向」）において、本体側嵌合部２５の中央部には、第１配線部材８（図１参照）を挿通するための本体側挿通部２６が設けられている。この本体側挿通部２６は、本体側嵌合部２５の鉛直方向の上方の部位及び下方の部位の両側にそれぞれ設けられている。本実施形態では、これら本体側挿通部２６が、本体側嵌合部２５を幅方向に離間して設けられることにより取付部２１との間に形成される凹部として設けられている。また、取付部２１の幅方向の両側の部位において、鉛直方向の中央部には、カバー体３０と係合する本体側係合部２７が設けられている。
【００４４】
取付部２１には、配線収納部２２より鉛直方向の上方に位置する上方取付部２８と、配線収納部２２より鉛直方向の下方に位置する下方取付部２９とが設けられている。上方取付部２８の鉛直方向の距離Ｄ１は、下方取付部２９の鉛直方向の距離Ｄ２よりも大きくなるように形成されている（図３（ａ）参照）。
【００４５】
図３（ａ）に示すように、側周部２４のうちの鉛直方向の下方の下面部２４ａには、接続用配線部材１０を通線するための貫通孔を有する下方通線部４０が２つ設けられている。これら下方通線部４０は、幅方向に沿って１列に配列されている。
【００４６】
図３（ｂ）に示すように、側周部２４のうちの鉛直方向の上方の上面部２４ｂには、コンセントモジュール４１と、側周部２４を鉛直方向に貫通する貫通孔を有する上方通線部４２と、強電用配線部材１２と接続する電源用コンセント４３とが設けられている。これらコンセントモジュール４１と、上方通線部４２と、電源用コンセント４３とは幅方向に沿って１列に配列されている。
【００４７】
下方通線部４０には、下面部２４ａを鉛直方向に貫通する貫通孔の周囲に取り付けられるケース体４０ａが設けられている。このケース体４０ａには、ケース体４０ａに対して鉛直方向の上方から開閉可能とする蓋体４０ｂが設けられている。また、ケース体４０ａの上記貫通孔に対応する位置には同様に貫通孔が設けられている。この貫通孔を構成するケース体４０ａの内周面には、ゴムブッシュ４０ｃが取り付けられている。このゴムブッシュ４０ｃには、弾性変形可能な４つの円弧状の弾性体４０ｄが設けられている。なお、上方通線部４２も下方通線部４０と同様な構成であり、ケース体４２ａ、蓋体４２ｂ、ゴムブッシュ４２ｃ及び弾性体４２ｄが設けられている。
【００４８】
図４に示すように、コンセントモジュール４１には、第１配線部材８の接続部である情報用配線部材８Ａの接続部８Ａ２（図９参照）及び電源用配線部材８Ｂのプラグ８Ｂ２（図１０参照）とそれぞれ接続する接続口を形成するテレビ用端子４１ａ、ＢＳ／ＣＳ用端子４１ｂ、ＬＡＮ用コネクタ４１ｃ及び電話用コネクタ４１ｄが幅方向に沿って１列に配列されている。
【００４９】
図５（ａ）に示すように、カバー体３０には、略長方形状に形成されたカバー本体部３１が設けられている。このカバー本体部３１の鉛直方向の上方には、第１配線部材８（図１参照）を挿通する挿通部３２が設けられている。カバー本体部３１における幅方向の両側には、装置本体２０の本体側係合部２７（図３参照）と係合するカバー体側係合部３３が設けられている。カバー本体部３１における鉛直方向及び幅方向の両側には、装置本体２０の本体側嵌合部２５（図３参照）と嵌合するカバー体側嵌合部３４がそれぞれ設けられている。このカバー体側嵌合部３４は、カバー本体部３１から奥行き方向の裏側に向かい突出するように設けられている。
【００５０】
図５（ｂ）に示すように、挿通部３２は、カバー本体部３１から奥行き方向の表側に凹む凹部として設けられている。詳細には、挿通部３２は、鉛直方向の下方に設けられた第１傾斜部３２ａと、第１傾斜部３２ａの鉛直方向の上端部と連結するとともに鉛直方向に沿って上方に延びる側面部３２ｂとにより構成されている。この第１傾斜部３２ａは、鉛直方向の上方に向かうにつれて、奥行き方向の表側に傾斜するように設けられている。また、側面部３２ｂの幅方向の両側には、この側面部３２ｂから幅方向に離れるにつれて奥行き方向の裏側に傾斜する第２傾斜部３２ｃが設けられている（図５（ａ）参照）。
【００５１】
図６（ａ）に示すように、装置本体２０とカバー体３０とは、本体側嵌合部２５とカバー体側嵌合部３４とが嵌合するとともに、本体側係合部２７とカバー体側係合部３３とが互いに係合することにより互いに取り付けられている。具体的には、本体側嵌合部２５の内面２５ａとカバー体側嵌合部３４の外面３４ａとが互いに嵌合するようになる。そして、凹形状の本体側係合部２７に突起形状のカバー体側係合部３３が嵌合することによって互いに係合するようになる。
【００５２】
図６（ｂ）に示すように、装置本体２０にカバー体３０が取り付けられることにより、カバー体３０は、開口部２２ａの全体を覆うようになる。詳細には、カバー体３０は、本体側嵌合部２５によって囲まれた領域を覆うようになる。また、図６（ｃ）に示すように、装置本体２０にカバー体３０が取り付けられた状態において、配線装置１には、上方取付部２８と挿通部３２との奥行き方向の間に形成される空間として挿通空間Ｓ１が設けられるようになる。第１配線部材８は、挿通空間Ｓ１に挿通されることによって、配線装置１の外部に引き出されるようになる。これにより、第１配線部材８はテレビ４に接続されるようになる。
【００５３】
図７に示すように、ＣＤ管取付台１７には、外枠を構成するとともに奥行き方向の表側を開口する箱体にて形成された取付台本体５０が設けられている。この取付台本体５０は、奥行き方向において最も裏側に配置される底部５１と、この底部５１の外周縁から奥行き方向の表側に向かい延びる側周部５２とから構成されている。底部５１は、平面視において略長方形状に設けられている。側周部５２は、底部５１の外周縁の全周に亘り設けられている。これら底部５１及び側周部５２により形成された凹形状の空間として設けられた装置収納部５３には、装置本体２０（図４参照）の一部が収納されるようになる。
【００５４】
側周部５２のうちの鉛直方向の上方の一辺を構成する上面部５２ａには、ＣＤ管１４，１５を固定するＣＤ管固定部５４が設けられている。また側周部５２のうちの鉛直方向の下方の一辺を構成する下面部５２ｂには、ＣＤ管１６を固定するＣＤ管固定部５５が設けられている。
【００５５】
取付台本体５０の四隅には、コンパネ材ＣＰに固定するための取付台固定部５６がそれぞれ設けられている。この各取付台固定部５６には奥行き方向に貫通する貫通孔である固定孔５６ａが設けられている。そして、この固定孔５６ａにボルトを挿通することにより、ＣＤ管取付台１７はコンパネ材ＣＰに固定されるようになる。
【００５６】
図８に示すように、コンパネ材ＣＰの奥行き方向の裏側にＣＤ管取付台１７が固定されている。そして装置本体２０の底部２３及び側周部２４は、取付台本体５０の装置収納部５３に収納されている。この状態において装置本体２０の取付部２１の奥行き方向の裏側の面である裏面は、コンパネ材ＣＰの表面（即ち壁面ＷＬ）と当接するようになる。そして、取付部２１とコンパネ材ＣＰとを例えばボルトにより固定することにより、配線装置１はコンパネ材ＣＰに取り付けられるようになる。
【００５７】
次に、図９〜図１２を参照して、配線装置１の配線態様について説明する。
図９に示すように、コンセントモジュール４１に接続された情報用配線部材８Ａのケーブル部８Ａ１は、その接続部８Ａ２から少し鉛直方向の下方に延びた後、湾曲状に屈曲して、鉛直方向の上方に向かい配線されている。そして情報用配線部材８Ａは、挿通空間Ｓ１に挿通されてテレビ４に接続されるようになる。なお、情報用配線部材８Ａは、テレビ用端子４１ａ、ＢＳ／ＣＳ用端子４１ｂ、ＬＡＮ用コネクタ４１ｃ及び電話用コネクタ４１ｄ（図４参照）にそれぞれ接続された４本の配線部材から構成されている。
【００５８】
また、テレビ４に接続された接続用配線部材１０は、挿通空間Ｓ１に挿通されるとともに下方通線部４０に挿入されている。そして接続用配線部材１０は、ＣＤ管１６を介して情報コンセント７の奥行き方向の裏側に接続されている。接続用配線部材１０が下方通線部４０に挿通される際には、弾性体４０ｄのそれぞれが接続用配線部材１０に当接するようになる。これにより、弾性体４０ｄと接続用配線部材１０との間に隙間が形成されにくくなるため、配線装置１の内部にＣＤ管１６を介して塵埃等の異物が侵入することが抑制される。また逆に配線装置１を介してＣＤ管１６に異物が侵入することも抑制される。
【００５９】
図１０に示すように、電源用コンセント４３に接続された電源用配線部材８Ｂのケーブル部８Ｂ１は、情報用配線部材８Ａと同様に、電源用コンセント４３に挿入された栓刃（不図示）を保持するプラグ８Ｂ２から鉛直方向の下方に少し延びた後、湾曲状に屈曲して鉛直方向の上方に向かい配線される。そしてケーブル部８Ｂ１は、挿通空間Ｓ１に挿通されてテレビ４に接続されるようになる。
【００６０】
プラグ８Ｂ２は、鉛直方向の下方に延びる態様にて電源用コンセント４３に接続されている。この状態において、プラグ８Ｂ２の奥行き方向の幅Ｈ１は、底部２３からコンパネ材ＣＰの表面までの奥行き方向の幅Ｈ２よりも小さくなるように形成されている。言い換えれば、プラグ８Ｂ２は、コンパネ材ＣＰの表面（壁面ＷＬ）よりも奥行き方向の裏側に配置されるようになる。
【００６１】
図１１に示すように、挿通空間Ｓ１の幅方向の幅Ｈ３は、第１配線部材８を構成する１本の配線部材の径よりも大きくなるように形成されている。本実施形態では、挿通空間Ｓ１においては、第１配線部材８と電源用配線部材８Ｂと接続用配線部材１０との６本の配線部材が幅方向に一列に配列されるようになる。
【００６２】
また、挿通空間Ｓ１の奥行き方向の幅Ｈ４は、情報用配線部材８Ａ、電源用配線部材８Ｂ及び接続用配線部材１０の各配線のうちの最大径を有する配線と略同等の大きさにて構成されている。
【００６３】
次に、図１２を参照して、配線装置１の外観について説明する。図１２（ａ）は、配線装置１のみの外観を示し、図１２（ｂ）は、配線装置１とテレビ４との外観を示している。
【００６４】
図１２（ａ）に示すように、配線装置１は、装置本体２０の奥行き方向の表側の略全面に亘りカバー体３０によって覆われるため、装置本体２０に設けられた下方通線部４０、コンセントモジュール４１、上方通線部４２及び電源用コンセント４３（図３参照）が隠れるようになる。
【００６５】
図１２（ｂ）に示すように、配線装置１の鉛直方向の上方の一部は、テレビ４と奥行き方向に重なるように配置される。具体的には、配線装置１の上記一部がテレビ４よりも奥行き方向の裏側に配置されるようになる。ここで、挿通空間Ｓ１に挿通された情報用配線部材８Ａ及び電源用配線部材８Ｂは、テレビ４の奥行き方向の裏側において配線されるため（図９及び図１０参照）、テレビ４の奥行き方向の表側から見たときには、情報用配線部材８Ａ及び電源用配線部材８Ｂが隠れるようになる。
【００６６】
本実施形態の配線装置１によれば、以下の効果を奏することができる。
（１）本実施形態によれば、装置本体２０の側周部２４にコンセントモジュール４１及び電源用コンセント４３が設けられる構成である。したがって、情報用配線部材８Ａの接続部８Ａ２及び電源用配線部材８Ｂのプラグ８Ｂ２が壁面ＷＬの表側に突出することを抑制することができるようになる。その結果、本実施形態では、図２６に示す従来の配線装置１００のように壁面ＷＬからプラグが奥行き方向の表側に突出する場合と比較して、人の歩行を邪魔することが抑制されるようになる。
【００６７】
ところで、このような配線装置においては、壁面ＷＬではなく床面に対して埋め込まれる構造の配線装置が知られている。この配線装置も同様にカバーによって表側配線部材とコンセントとの接続部分が覆われる構成のものが知られている。しかしながら、床面に配線装置を設けた場合には、この配線装置に接続された表側配線部材のケーブル部が床面上に配線されるため、表側配線部材が人の歩行を邪魔することの問題が解決されていなかった。この点において、本実施形態では、配線装置１に接続される表側配線部材である第１配線部材８は、壁面ＷＬに沿って配線されるため、人の歩行を邪魔することを抑制することができるようになる。
【００６８】
その上、カバー体３０が装置本体２０の開口部２２ａを覆うことにより、接続部８Ａ２及びプラグ８Ｂ２が配線装置１の外部から露出することが回避されるため、この配線装置１の全体としての美観性が向上するようになる。
【００６９】
また、配線装置の構成として、カバー体側に電源用コンセント（もしくはコンセントモジュール）を設ける構成が考えられる。しかしながら、上述の構成の場合においては、カバー体が装置本体に対して固定されていないため、電源用コンセントに電源用配線部材８Ｂのプラグ８Ｂ２を差し込む作業が煩雑となってしまう。即ち、作業者がカバー体を持ちながら、もしくは他の場所にカバー体を載置した後に電源用コンセントにプラグを差し込むという作業を行わなければならなかった。また、カバー体が装置本体に対して固定される構成であったとしても、作業者がプラグを電源用コンセントに差し込む際の力が直接カバー体に加わってしまうため、カバー体が破損してしまう場合がある。
【００７０】
その点において、本実施形態では、装置本体２０側に電源用コンセント４３（もしくはコンセントモジュール４１）が設けられるため、電源用コンセント４３にプラグ８Ｂ２を差し込む作業が容易となるとともに、カバー体３０が破損することを抑制することができるようになる。
【００７１】
（２）本実施形態によれば、カバー体３０が開口部２２ａの全体を覆う構成である。したがって、カバー体が開口部の一部のみを覆う構成と比較して、配線装置１の美観性を向上することができるようになる。また、配線装置１の内部に塵埃等の異物の侵入を抑制することができるようになる。これにより、トラッキングの発生を抑制することができるようになる。
【００７２】
（３）本実施形態によれば、配線収納部２２により第１配線部材８及び接続用配線部材１０の一部が収納される構成である。したがって、第１配線部材８及び接続用配線部材１０が配線装置１の外部から見えにくくなるため、第１配線部材８をコンセントモジュール４１に接続した状態、及び接続用配線部材１０を下方通線部４０に通線した状態において、配線装置１の装置全体としての美観性が向上するようになる。
【００７３】
（４）本実施形態によれば、カバー体３０に挿通部３２が設けられる構成である。したがって、第１配線部材８を容易に壁面の表側に引き出すことができるようになる。また、装置本体２０側に挿通部を省略することができ、装置本体２０の構造を簡単化することができるようになる。
【００７４】
（５）本実施形態によれば、カバー体３０の外周縁に設けられた凹部により挿通部３２が形成されている。したがって、カバー体３０に奥行き方向に沿った設けた貫通孔により挿通部を構成する場合と比較して、第１配線部材８をカバー体３０によって覆う範囲が多くなる。その結果、第１配線部材８を配線装置１に配線した状態において、配線装置１の美観性を向上することができる。
【００７５】
（６）本実施形態によれば、挿通部３２が複数の配線部材にて構成された第１配線部材８を同時に挿通可能とする構成である。したがって、コンセントモジュール４１に接続された第１配線部材８を同時にテレビ４に接続することができるようになる。したがって、当該配線装置１のみにおいて、テレビ４に必要な配線部材の全てを接続することができるようになる。
【００７６】
また、挿通空間Ｓ１の奥行き方向の幅は、情報用配線部材８Ａ、電源用配線部材８Ｂ及び接続用配線部材１０の各配線のうちの最大径を有する配線と略同等の大きさにて構成されている。したがって、挿通空間Ｓ１において情報用配線部材８Ａを構成する各配線部材、電源用配線部材８Ｂ及び接続用配線部材１０が幅方向に一列に配線されるようになる。そして、これら配線が奥行き方向に複数列配線される場合と比較して、挿通部３２のカバー体３０に対する奥行き方向の表側の突出量が小さくなる。したがって、配線装置１の美観性が向上するようになる。
【００７７】
さらに、挿通部３２の上記突出量が小さい構成により、挿通部３２と奥行き方向に重なるテレビ４の部位が壁面ＷＬに対して近接して配置されるようになる。したがって、壁面ＷＬに対するテレビ４の奥行き方向の表側の突出量を抑制することができるようになる。
【００７８】
（７）本実施形態によれば、配線装置１には、コンセントモジュール４１と電源用コンセント４３とが設けられている。したがって、配線装置１は、商用電源から電気機器への電力供給と、インターネット接続等の情報通信との両立を図ることができるようになる。
【００７９】
（８）本実施形態によれば、コンセントモジュール４１と電源用コンセント４３と上方通線部４２は幅方向に配列されている。したがって、側周部２４の奥行き方向を薄型化することができるため、配線装置１を奥行き方向に対して薄型化を図ることができるようになる。その結果、内壁と外壁との奥行き方向の間が狭い造営物に対しても適用することができ、当該配線装置１の適用範囲を広げることができるようになる。
【００８０】
（９）本実施形態によれば、コンセントモジュール４１に設けられたテレビ用端子４１ａ、ＢＳ／ＣＳ用端子４１ｂ、ＬＡＮ用コネクタ４１ｃ及び電話用コネクタ４１ｄは、幅方向に配列されている。したがって、これら端子４１ａ，４１ｂ及びコネクタ４１ｃ，４１ｄのそれぞれが奥行き方向に複数列として配列されることがないため、コンセントモジュール４１を奥行き方向に対して薄型化することができる。これにより、配線装置１を奥行き方向に対してさらに薄型化することができる。
【００８１】
（第２の実施形態）
図１３〜図１６を参照して、本発明の壁取付配線装置を壁掛けテレビに接続する表側配線部材を配線するための配線装置として具体化した第２の実施形態について説明する。本実施形態では、第１の実施形態と比較して、装置本体２０の鉛直方向において反対側に配置した上でＣＤ管取付台１７に取り付けた点及びカバー体３０が省略された点において異なる。
【００８２】
図１３に示すように、配線装置１のＣＤ管取付台１７への取付態様は、装置本体２０のみが鉛直方向において反対側に配置し、ＣＤ管取付台１７及びカバー体３０は、第１の実施形態と同じ配置態様となる。これにより、装置本体２０の上面部２４ｂに設けられた上方通線部４２は、接続用配線部材１０を挿通する役割を果たすようになる。
【００８３】
図１４に示すように、コンセントモジュール４１に接続された情報用配線部材８Ａは、第１の実施形態のように屈曲することなく、鉛直方向の上方に向かい延びるように配線されて、テレビ４に接続されるようになる。また接続用配線部材１０は、テレビ４から鉛直方向の下方に延びて上方通線部４２に通線されている。
【００８４】
図１５に示すように、電源用コンセント４３に接続された電源用配線部材８Ｂも同様に、鉛直方向の上方に向かい延びるように配線されてテレビ４に接続されるようになる。
またプラグ８Ｂ２は、鉛直方向の上方に延びる態様にて電源用コンセント４３に接続されている。この状態において、プラグ８Ｂ２は、第１の実施形態と同様にコンパネ材ＣＰの表面（壁面ＷＬ）よりも奥行き方向の裏側に配置されるようになる。
【００８５】
図１６に示すように、コンセントモジュール４１、上方通線部４２及び電源用コンセント４３が装置本体２０の鉛直方向の下方に位置することにより、テレビ４を取り付けた状態において、コンセントモジュール４１、上方通線部４２及び電源用コンセント４３は、テレビ４よりも鉛直方向の下方に位置するようになる。これにより、テレビ４を取り付けた状態において、コンセントモジュール４１及び電源用コンセント４３と第１配線部材８（図１４及び図１５参照）との接続状態、及び上方通線部４２と接続用配線部材１０（図１４参照）との通線状態が視認することができるようになる。
【００８６】
本実施形態の配線装置１によれば、第１の実施形態の効果（１）〜（３）及び（６）〜（９）に加え、以下の効果を奏することができる。
（１０）本実施形態によれば、コンセントモジュール４１及び電源用コンセント４３とは下面部２４ａに設けられている。したがって、コンセントモジュール４１に接続された情報用配線部材８Ａ及び電源用コンセント４３に接続された電源用配線部材８Ｂをテレビ４に配線するために大きく屈曲させることを抑制することができる。したがって、作業者が第１配線部材８の配線作業を容易に行うことができるようになる。
【００８７】
（１１）本実施形態によれば、テレビ４を壁面ＷＬに取り付けた状態において、コンセントモジュール４１、上方通線部４２及び電源用コンセント４３を視認することができる。したがって、コンセントモジュール４１と情報用配線部材８Ａとの接続状態及び電源用コンセント４３と電源用配線部材８Ｂとの接続状態、及び上方通線部４２と接続用配線部材１０との通線状態を容易に確認することができる。
【００８８】
（第３の実施形態）
図１７〜図２０を参照して、本発明の壁取付配線装置を壁掛けテレビに接続する表側配線部材を配線するための配線装置として具体化した第３の実施形態について説明する。本実施形態では、第２の実施形態と比較して、カバー体３０を追加した構造となる。
【００８９】
図１７に示すように、装置本体２０にカバー体３０が取り付けられる。このカバー体３０の取付構造は、第１の実施形態と同様であるため、その説明を省略する。ここで、挿通空間Ｓ１は、下方取付部２９と挿通部３２との奥行き方向の間の空間として形成されている。
【００９０】
カバー体３０は、第１の実施形態と同じ構造である。即ち、装置本体２０を鉛直方向に対して反対側に配置したとしても、装置本体２０に対してカバー体３０は取り付くこととなる。これは、装置本体２０の本体側嵌合部２５の鉛直方向の中央に本体側係合部２７がそれぞれ設けられ、カバー体３０の鉛直方向の中央にカバー体側係合部３３がそれぞれ設けられるためである。
【００９１】
図１８に示すように、コンセントモジュール４１に接続された情報用配線部材８Ａは、第２の実施形態と同様に、鉛直方向の上方に向かい延びるように配線される。そして、情報用配線部材８Ａは挿通空間Ｓ１に挿通されて、テレビ４に接続するようになる。また、接続用配線部材１０は、テレビ４から挿通空間Ｓ１を介して鉛直方向の下方に延びて上方通線部４２に通線されている。
【００９２】
図１９に示すように、電源用配線部材８Ｂも第２の実施形態と同様に、鉛直方向の上方に向かい延びるように配線される。そして、電源用配線部材８Ｂは挿通空間Ｓ１に挿通されて、テレビ４に接続するようになる。
【００９３】
図２０に示すように、テレビ４が壁面ＷＬ（コンパネ材ＣＰ）に取り付けられた状態において、配線装置１はカバー体３０を有することにより、装置本体２０内のコンセントモジュール４１と情報用配線部材８Ａとの接続状態及び電源用コンセント４３と電源用配線部材８Ｂとの接続状態、及び上方通線部４２と接続用配線部材１０との通線状態が隠れるようになる。
【００９４】
本実施形態の配線装置１によれば、第１の実施形態の効果（１）〜（９）及び第２の実施形態の効果（１０）及び（１１）に加え、以下の効果を奏することができる。
（１２）本実施形態によれば、壁面ＷＬに対して装置本体２０を鉛直方向に反対側に配置した状態においてもカバー体３０が装置本体２０に取付可能である。したがって、装置本体２０の鉛直方向の２方向（第１の実施形態の配置方向と第２の実施形態の配置方向）に対して共通のカバー体３０を用いることができる。
【００９５】
（１３）本実施形態によれば、挿通部３２は、カバー体３０におけるコンセントモジュール４１及び電源用コンセント４３が設けられる下面部２４ａとは反対側（即ち鉛直方向の上方）の外周縁に設けられる構成とする。この構成によれば、コンセントモジュール４１に接続された情報用配線部材８Ａ及び電源用コンセント４３に接続された電源用配線部材８Ｂをテレビ４に配線するために大きく屈曲させることを抑制することができる。したがって、作業者が第１配線部材８の配線作業を容易に行うことができるようになる。
【００９６】
（第４の実施形態）
図２１〜図２３を参照して、本発明の壁取付配線装置を壁掛けテレビの配線するための配線装置として具体化した第４の実施形態について説明する。本実施形態では、第１の実施形態と比較して、装置本体２０内のコンセントモジュール４１及び電源用コンセント４３が設けられる位置が異なる。
【００９７】
図２１に示すように、装置本体２０の底部２３には、コンセントモジュール４１及び電源用コンセント４３が幅方向に一列となるように設けられている。
図２２に示すように、コンセントモジュール４１に接続された情報用配線部材８Ａは、コンセントモジュール４１から奥行き方向に延びた後に鉛直方向の上方に向かい屈曲して配線される。そして情報用配線部材８Ａは、挿通空間Ｓ１に挿通されて、テレビ４に接続されるようになる。
【００９８】
図２３に示すように、電源用配線部材８Ｂのプラグ８Ｂ２は、奥行き方向の表側に延びる態様にて電源用コンセント４３に接続されている。この状態において、プラグ８Ｂ２の奥行き方向の幅Ｈ１は、底部２３からコンパネ材ＣＰの表面までの奥行き方向の幅Ｈ２よりも小さくなるように形成されている。言い換えれば、プラグ８Ｂ２は、コンパネ材ＣＰの表面（壁面ＷＬ）よりも奥行き方向の裏側に配置されるようになる。
【００９９】
また、ケーブル部８Ｂ１は、プラグ８Ｂ２から奥行き方向に少し延びた後に鉛直方向の上方に向かい屈曲して配線される。そしてケーブル部８Ｂ１は、挿通空間Ｓ１に挿通されて、テレビ４に接続されるようになる。また本実施形態の配線装置１によれば、第１の実施形態の効果（１）〜（９）に準じた効果を奏することができる。
【０１００】
（第５の実施形態）
図２４及び図２５を参照して、本発明の壁取付配線装置を壁掛けテレビの配線するための配線装置として具体化した第５の実施形態について説明する。本実施形態では、第１の実施形態と比較して、装置本体２０の底部２３に接続用配線部材１０を係止するための係止部６０が設けられた点にて異なる。
【０１０１】
図２４に示すように、係止部６０は、底部２３に継ぎ目のない一体化構造となるように設けられている。この係止部６０は、略Ｕ字形状に形成されている。具体的には、係止部６０には、底部２３から奥行き方向に延びるとともに幅方向に離間した２つの突出部６１と、これら突出部６１を連結する連結部６２とが設けられている。
【０１０２】
図２５に示すように、配線収納部２２内において、接続用配線部材１０は、複数回に亘り略円形状に巻いた状態においてインシュロック７０によりまとめられ、このインシュロック７０が係止部６０に接続されることによって、係止部６０に係止される。これにより、接続用配線部材１０の余長が収納されるようになる。即ち、配線収納部２２内には、余長収納部が設けられることとなる。なお、本実施形態では、接続用配線部材１０の余長を収納する構成であったが、第１配線部材８を構成する配線部材の余長を同様に収納する構成であってもよい。
【０１０３】
本実施形態の配線装置１によれば、第１の実施形態の効果（１）〜（９）に加え、以下の効果を奏することができる。
（１４）本実施形態によれば、配線収納部２２が余長収納部の役割を果たしている。したがって、装置本体２０の内部において第１配線部材８または接続用配線部材１０の余長を収納することができるため、作業者が装置本体２０の外部（例えば、装置本体の裏側）において第１配線部材８または接続用配線部材１０の余長を収納する作業を行う場合と比較して、同作業を容易に行うことができるようになる。
【０１０４】
（その他の実施形態）
本実施形態の配線装置１は、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【０１０５】
・上記各実施形態では、装置本体２０に情報用コンセントであるコンセントモジュール４１と電源用コンセント４３とが各別に設けられる構成であったが、コンセントモジュール４１内に電源用コンセント４３が含まれる構成とすることもできる。この構成によれば、コンセントモジュール４１と電源用コンセント４３とが装置本体２０内において各別に設けられる場合と比較して、装置本体２０の内部の省スペース化を図ることができるようになる。
【０１０６】
・また、同様にコンセントモジュール４１に上方通線部４２が含まれる構成とすることもできる。また、コンセントモジュール４１に電源用コンセント４３及び上方通線部４２の両方が含まれる構成とすることもできる。
【０１０７】
・上記各実施形態では、コンセントモジュール４１と電源用コンセント４３とが設けられる位置が、側周部２４及び底部２３の同じ位置に設けられたが、コンセントモジュール４１と電源用コンセント４３が設けられる位置はこれに限定されることはない。例えば、コンセントモジュール４１が側周部２４のうちの上面部２４ｂに設けられ、電源用コンセント４３が側周部２４のうちの下面部２４ａに設けられる構成とすることもできる。また、例えば、コンセントモジュール４１が底部２３に設けられ、電源用コンセント４３が下面部２４ａに設けられる構成とすることもできる。
【０１０８】
・上記各実施形態では、配線装置１に情報用配線部材８Ａを接続するためのコンセントモジュール４１と電源用配線部材８Ｂを接続するための電源用コンセント４３とが設けられる構成であったが、配線装置１には、コンセントモジュール４１のみが設けられる構成、または電源用コンセント４３のみが設けられる構成とすることもできる。
【０１０９】
・また、コンセントモジュール４１には、テレビ用端子４１ａ、ＢＳ／ＣＳ用端子４１ｂ、ＬＡＮ用コネクタ４１ｃ及び電話用コネクタ４１ｄが設けられたが、コンセントモジュール４１には、これらのうちの少なくとも１つが設けられる構成とすることもできる。また、コンセントモジュール４１には、これらの端子及びコネクタ以外にも光ケーブルを接続するためのコネクタを設けることもできる。なお、光ケーブルを接続するためのコネクタは、コンセントモジュール４１に設けられる構成に限定されることなく、装置本体２０に設けることもできる。
【０１１０】
・上記各実施形態では、コンセントモジュール４１が装置本体２０に１つ設けられていたが、コンセントモジュール４１は、装置本体２０に複数設けることもできる。これにより、配線装置１は、テレビ４以外の電気機器にも別の情報用配線部材を接続することができるようになる。また、同様に電源用コンセント４３を複数設けることもできる。上述のような構成においては、カバー体３０の挿通部３２が鉛直方向の上方及び下方の両側に設けられることが望ましい。
【０１１１】
・第４の実施形態では、コンセントモジュール４１のテレビ用端子４１ａ、ＢＳ／ＣＳ用端子４１ｂ、ＬＡＮ用コネクタ４１ｃ及び電話用コネクタ４１ｄが幅方向に１列に配列されていたが、これら端子及びコネクタの配列態様はこれに限定されることはない。例えば、テレビ用端子４１ａ及びＢＳ／ＣＳ用端子４１ｂを幅方向に配列し、その鉛直方向の下方または上方にＬＡＮ用コネクタ４１ｃ及び電話用コネクタ４１ｄを幅方向に配列してもよい。これにより、配線装置１の幅方向への小型化を図ることができる。
【０１１２】
・上記各実施形態では、カバー体３０の挿通部３２が情報用配線部材８Ａ及び電源用配線部材８Ｂを同時に挿通するために、幅方向に広い凹形状が１つ設けられたが、挿通部３２の形状はこれに限定されることはない。挿通部３２に幅方向に複数個設けることもできる。この場合においては、各挿通部３２に、１本または複数の配線部材がそれぞれ挿通するようになる。
【０１１３】
・上記各実施形態では、カバー体３０の挿通部３２と装置本体２０との間に形成される空間として挿通空間Ｓ１が形成されたが、挿通空間Ｓ１の構成はこれに限定されることはない。例えば、カバー体３０に奥行き方向に貫通する貫通孔を設け、その貫通孔内の空間を挿通空間として形成することもできる。
【０１１４】
・上記各実施形態では、カバー体３０の挿通部３２の開口方向は、鉛直方向の上方であったが、挿通部３２の開口方向は、これに限定されることはない。例えば、挿通部３２の開口方向は、鉛直方向の下方とすることもできる。これにより、配線装置１より鉛直方向の下方に配置される録画機５等の電気機器との配線を行うことができるようになる。また、挿通部３２の開口方向は、鉛直方向に限定されることなく、幅方向とすることもできる。
【０１１５】
・上記各実施形態では、カバー体３０の挿通部３２は、鉛直方向の上方の１方向のみ開口していたが、例えば、挿通部３２は、鉛直方向の上方及び下方の２方向に開口することもできる。また、挿通部３２は、上記鉛直方向の２方向に加え、幅方向の両側も開口することができる。
【０１１６】
・上記各実施形態では、挿通部３２はカバー体３０側に設けられたが、挿通部３２が設けられる場所はこれに限定されることはない。例えば、装置本体２０側に挿通部３２を設けることもできる。
【０１１７】
・第１、第４及び第５の実施形態では、装置本体２０にカバー体３０を取り付けたが、配線装置１の構成はこれに限定されることはない。第２の実施形態のように、配線装置１はカバー体３０を省略することもできる。
【０１１８】
・第１、第３〜第５の実施形態では、カバー体３０が装置本体２０に対して着脱可能とする構成であったが、装置本体２０及びカバー体３０の構成はこれに限定されることはない。例えば、装置本体２０にカバー体３０が開閉可能に取り付けることもできる。また、装置本体２０にカバー体３０が鉛直方向または幅方向にスライド可能に取り付けることもできる。
【０１１９】
・第５の実施形態では、係止部６０が装置本体２０に１つ設けられる構成であったが、係止部６０は装置本体２０に複数個設けられる構成とすることもできる。また、係止部６０の形状は、２つの突出部６１と連結部６２とから構成される略Ｕ字形状であったが、係止部６０の形状はこれに限定されることはない。例えば、係止部は略Ｌ字形状とすることもできる。これにより、係止部に第１配線部材８または接続用配線部材１０を引っ掛けることができる。したがって、容易に配線収納部２２内に第１配線部材８または接続用配線部材１０を収納することができるようになる。その結果、作業者が第１配線部材８または接続用配線部材１０を配線収納部２２に収納する作業を容易に行うことができるようになる。
【０１２０】
・第５の実施形態では、係止部６０にインシュロック７０を係止することにより、接続用配線部材１０の余長を収納する構成であったが、インシュロックを省略して、この接続用配線部材１０を直接係止部６０に巻きつけることにより余長を収納する構成としてもよい。
【０１２１】
・第５の実施形態では、係止部６０によって接続用配線部材１０の余長を収納する構成としたが、接続用配線部材１０の余長を収納する構成はこれに限定されることはない。係止部６０を省略して、配線収納部２２に直接接続用配線部材１０を折りたたむことにより収納する構成とすることもできる。また、第１、第３及び第４の実施形態も同様に、配線収納部２２に直接接続用配線部材１０を折りたたむことにより収納する構成とすることもできる。これにより、カバー体３０が接続用配線部材１０を隠すため、接続用配線部材１０が壁面ＷＬよりも表側に突出することを抑制するとともに、配線装置１の美観性を向上させることができるようになる。
【０１２２】
・上記各実施形態では、ＣＤ管取付台１７のＣＤ管固定部５４，５５はそれぞれ２つ設けられたが、ＣＤ管固定部５４，５５の数はこれに限定されることはない。壁の奥行き方向の裏側に配線される裏側配線部材の数または種類に伴い、ＣＤ管固定部５４，５５を３つ以上設けることもできる。
【０１２３】
・上記各実施形態では、配線装置１を壁掛け用テレビ（テレビ４）に配線部材を接続するための装置であったが、配線装置１の適用事例はこれに限定されることはない。テレビ４以外の電気機器に配線部材を接続するために用いることもできる。
【０１２４】
・上記各実施形態では、表側配線部材を第１配線部材８として構成したが、表側配線部材はこれに限定されることはない。例えば、表側配線部材として、例えば充電器のようなケーブル部を省略して表側配線部材の接続部と電気機器とが直接接続されるような構成とすることもできる。
【符号の説明】
【０１２５】
１…配線装置（壁取付配線装置）、２…地上波用アンテナ、３…ＢＳ／ＣＳ用アンテナ、４…テレビ、５…録画機、６…分配機能付ブースタ、７…情報コンセント、８…第１配線部材（表側配線部材）、８Ａ…情報用配線部材、８Ａ１…ケーブル部、８Ａ２…接続部、８Ｂ…電源用配線部材、８Ｂ１…ケーブル部、８Ｂ２…プラグ、９…第２配線部材、１０…接続用配線部材、１１…取付枠、１２…強電用配線部材（裏側配線部材）、１３…弱電用配線部材（裏側配線部材）、１４〜１６…ＣＤ管、１７…ＣＤ管取付台、２０…装置本体、２１…取付部、２２…配線収納部（収納部）、２２ａ…開口部、２３…底部、２４…側周部、２４ａ…下面部、２４ｂ…上面部、２５…本体側嵌合部、２６…本体側挿通部、２７…本体側係合部、２８…上方取付部、２９…下方取付部、３０…カバー体、３１…カバー本体部、３２…挿通部、３２ａ…傾斜部、３２ｂ…側面部、３３…カバー体側係合部、３４…カバー体側嵌合部、３４ａ…外面、４０…下方通線部、４１…コンセントモジュール（コンセント）、４１ａ…テレビ用端子、４１ｂ…ＢＳ／ＣＳ用端子、４１ｃ…ＬＡＮ用コネクタ、４１ｄ…電話用コネクタ、４２…上方通線部、４３…電源用コンセント、５０…取付台本体、５１…底部、５２…側周部、５２ａ…上面部、５２ｂ…下面部、５２ｃ…外面、５３…装置収納部、５４…ＣＤ管固定部、５５…ＣＤ管固定部、５６…取付台固定部、５６ａ…固定孔、６０…係止部、６１…突出部、６２…連結部、７０…インシュロック、ＢＭ…造営材、Ｃ１，Ｃ２…同軸ケーブル（裏側配線部材）、ＣＰ…コンパネ材（壁）、ＣＰ１…収納部、ＷＬ…壁面（表面部）。
【図１】
2011008996.tif 000003
【図２】
2011008996.tif 000004
【図３】
2011008996.tif 000005
【図４】
2011008996.tif 000006
【図５】
2011008996.tif 000007
【図６】
2011008996.tif 000008
【図７】
2011008996.tif 000009
【図８】
2011008996.tif 000010
【図９】
2011008996.tif 000011
【図１０】
2011008996.tif 000012
【図１１】
2011008996.tif 000013
【図１２】
2011008996.tif 000014
【図１３】
2011008996.tif 000015
【図１４】
2011008996.tif 000016
【図１５】
2011008996.tif 000017
【図１６】
2011008996.tif 000018
【図１７】
2011008996.tif 000019
【図１８】
2011008996.tif 000020
【図１９】
2011008996.tif 000021
【図２０】
2011008996.tif 000022
【図２１】
2011008996.tif 000023
【図２２】
2011008996.tif 000024
【図２３】
2011008996.tif 000025
【図２４】
2011008996.tif 000026
【図２５】
2011008996.tif 000027
【図２６】
2011008996.tif 000028